【事件の表示】
　特願２００１−３３４８９８「リモートコントロールシステム、電子機器、及びプログラム」拒絶査定不服審判事件〔平成１５年　５月１６日出願公開、特開２００３−１４３６７０〕について、次のとおり審決する。
【結　論】
　本件審判の請求は、成り立たない。
【理　由】
第１．手続の経緯 
　本件出願は、平成１３年１０月３１日の出願であって、平成１７年１月２１日付けで拒絶査定され、同年２月２４日に審判請求がなされるとともに同年３月２５日付けで手続補正がなされたものであり、当審において平成１９年５月１７日付けで上記手続補正は却下されるとともに、同日付けで拒絶理由が通知され、これに対し同年７月２３日付けで意見書が提出されるとともに手続補正がなされたものである。 
　
　
第２．補正却下の決定
［補正却下の決定の結論］
　　平成１９年７月２３日付けの手続補正を却下する。
　
［理由］
１．本願発明と補正後の発明
　上記手続補正（以下、「本件補正」という。）は補正前の平成１６年１１月８日付けの手続補正書の特許請求の範囲の請求項５に記載された
　「【請求項５】　制御対象とする被制御電子機器と所定の通信路を介して通信可能な通信手段と、
　入力操作が可能な入力操作手段と、
　上記通信手段により、上記入力操作手段の種類、数を示す情報を含む能力情報を上記被制御電子機器に対して送信させる能力情報送信手段と、
　上記被制御電子機器側が上記能力情報の受信に応答して送信してくるものであり、ユーザインターフェイスに対する上記入力操作手段を用いた操作の仕方を定義づける情報を含むユーザインターフェイスを形成するためのリモートコントローラ化情報を、上記通信手段により受信した場合に、この受信したリモートコントローラ化情報を利用して、上記被制御電子機器を操作するためのユーザインターフェイスを形成するユーザインターフェイス形成手段と、
　上記ユーザーインターフェイスが形成されている状態の下で、上記入力操作手段に対して行われた操作に応じた操作情報を、上記通信手段により上記被制御電子機器に対して送信させる操作情報送信手段と、
　を備えていることを特徴とする電子機器。」
　
という発明（以下、「本願発明」という。）を、
　
　「【請求項５】　制御対象とする被制御電子機器と所定の通信路を介して通信可能な通信手段と、
　所要の動作を実現するための操作子と、
　上記通信手段により、上記操作子の種類、及び上記操作子の数を示す情報を含む入力操作能力情報を上記被制御電子機器に対して送信させる入力操作能力情報送信手段と、
　上記被制御電子機器側が上記入力操作能力情報の受信に応答して送信してくるものであり、上記入力操作能力情報に基づき、上記操作子の入力操作機能の能力に適合するユーザインターフェイスを形成するためのリモートコントローラ化情報を、上記通信手段により受信した場合に、この受信したリモートコントローラ化情報を利用して、上記被制御電子機器を操作するためのユーザインターフェイスを形成するユーザインターフェイス形成手段と、
　上記ユーザーインターフェイスが形成されている状態の下で、上記操作子に対して行われた操作に応じた操作情報を、上記通信手段により上記被制御電子機器に対して送信させる操作情報送信手段と、
　を備えていることを特徴とする電子機器。」 
という発明（以下、「補正後の発明」という。）に補正することを含むものである。
　
　
２．補正の適否
（１）新規事項の有無、補正の目的要件
　上記補正は、願書に最初に添付した明細書又は図面に記載した事項の範囲内において、本願発明の「入力操作手段」、「能力情報送信手段」、及び「ユーザインターフェイスに対する上記入力操作手段を用いた操作の仕方を定義づける情報を含むユーザインターフェイスを形成するためのリモートコントローラ化情報」をそれぞれ、「操作子」、「入力操作能力情報送信手段」、「上記入力操作能力情報に基づき、上記操作子の入力操作機能の能力に適合するユーザインターフェイスを形成するためのリモートコントローラ化情報」と構成を限定することにより特許請求の範囲を減縮するものであるから、特許法第１７条の２第３項（新規事項）及び第４項第２号（補正の目的）の規定に適合している。
　
（２）独立特許要件
　上記補正は特許請求の範囲の減縮を目的とするものであるから、上記補正後の発明が特許出願の際独立して特許を受けることができるものであるのかどうかについて以下に検討する。
　
［補正後の発明］
　上記「１．本願発明と補正後の発明」の項で「補正後の発明」として認定したとおりである。
　　
［引用発明 ］
　当審で通知した拒絶理由に引用した、特開２００１−０９２５８３号公報（以下、「引用例」という。）には、「通信装置および入力キー機能更新方法」に関して、図面と共に次の記載がある。 
　 
イ．「【０００１】
【発明の属する技術分野】本発明は、通信装置および入力キー機能更新方法に関し、特に通信装置の動作中に入力キーの機能を変更することができる通信装置および入力キー機能更新方法に関する。
【０００２】
【従来の技術】近年、携帯電話のような限られた数の入力キーしか持たない通信装置を使用して、ビデオオンデマンドサービス等のような電話サービス以外の機能を実現するサービスが開始されている。このような限られた数の入力キーしか持たない通信装置におけるユーザインタフェースの快適性は、限られた数の各入力キーを、それぞれの状況に応じて様々な機能へ割り当てる、その割り当て方に依存する。
【０００３】従来、入力キーに割り当てられた機能を更新（以下、「カスタマイズ」という。）することができる通信装置としては、特開平７−１５４９６号公報に記載されているものがある。」（２頁１〜２欄）
　
ロ．「【００２８】以下、本発明の実施の形態について、図面を参照して詳細に説明する。
【００２９】（実施の形態１）本実施の形態に係る通信装置は、通信サービスのそれぞれの処理段階に応じて他の通信装置から自動的に送信されてくる入力キー機能更新データを受信し、通信サービスのそれぞれの処理段階に応じて各入力キーの機能を随時更新するものである。
【００３０】以下、本発明の実施の形態１に係る通信装置および入力キー機能更新方法について図１〜図５を用いて説明する。図１は、本発明の実施の形態１に係る通信装置の概略構成を示す要部ブロック図である。
【００３１】なお、以下の説明では、提供される通信サービスとしてビデオオンデマンドサービスを例に挙げて説明する。
【００３２】通信装置１００において、通信制御部１０１は、所定の通信網１０２に接続され、通信網１０２に接続された他の通信装置であるビデオサーバ１０３とデータの送受信を行う。なお、通信網１０２は、例えば、一般電話回線、ＩＳＤＮまたはローカルエリアネットワーク等である。また、通信網１０２は、有線に限られるものではなく、無線であってもよい。
【００３３】データ種別解析部１０４は、通信制御部１０１から送られるデータのデータ種別を解析し、入力キー機能更新データと動画データ、静止画データ、文字データ、音声データ等の入力キー機能更新データ以外のデータとに振り分ける。出力部１０５は、入力キー機能更新データ以外のデータの選択、合成を行い、文字、画像および音声等で出力する。
【００３４】キーカスタマイズデータ解析部１０６は、データ種別解析部１０４から送られる入力キー機能更新データのデータ形式やフォーマット形式等を調べる。ここで、入力キー機能更新データとは、制御データの一種で、各入力キーに割り当てられる機能を表すデータである。
【００３５】キーカスタマイズデータ記憶部１０８は、入力キー機能更新データを保持する。入力キー１０７は、通信装置ユーザからの指示を入力するためのものであり、今ここでは例えば、通信装置１００には１２個の入力キーがあるものとする。なお、ユーザからの指示を入力するためのものとして、ここでは入力キーを挙げたが、これに限られるものではなく、通信装置ユーザからの指示を入力することができるものであれば、その他の入力デバイスであってもよい。
【００３６】キーカスタマイズ実行部１０９は、通信装置ユーザによって入力キー１０７が押下された際に、キーカスタマイズデータ記憶部１０８が保持する入力キー機能更新データに従って、各入力キーの機能に対応する処理を行う。
【００３７】次いで、上記構成を有する通信装置１００の動作について説明する。図２〜図５は、本発明の実施の形態１に係る通信装置が使用する入力キー機能更新データの一例を示す図である。
【００３８】電源投入時などの初期化時には、キーカスタマイズデータ記憶部１０８には、図２に示す入力キー機能更新データのデフォルトデータが保持される。入力キー機能更新データは、図２に示すように、各入力キーの識別子と、各入力キーに対応する処理内容を示すデータとで構成される。ここで、処理内容を示すデータの形態としては、キーカスタマイズ実行部１０９が実行するソフトウェアの実行コードや、キーカスタマイズ実行部１０９が解釈するスクリプト等が挙げられる。
【００３９】入力キー機能更新データのデフォルトデータにおいて、識別子０〜９の入力キーの機能は、図２に示すように、ビデオサーバ１０３へ接続するための電話番号０〜９をバッファへ蓄積する処理をするものである。また、識別子１０の入力キーの機能は、バッファに蓄積された電話番号に従ってビデオサーバ１０３へ接続要求を送信し発信処理をするものである。また、識別子１１の入力キーの機能は、ビデオサーバ１０３へ切断要求を送信し終話処理をするものである。通信装置ユーザは、ビデオオンデマンドサービスを受けるために、まず入力キーのデフォルト機能により、通信網１０２を介して、通信装置１００とビデオサーバ１０３とを接続する。
【００４０】接続が確立されると、ビデオサーバ１０３から通信装置１００へ、図３に示す入力キー機能更新データが自動的に送信される。送信された入力キー機能更新データは、通信制御部１０１によって受信され、データ種別解析部１０４によってデータ種別が判別される。受信されたデータは、入力キー機能更新データであるため、キーカスタマイズデータ解析部１０６へ送られる。
【００４１】入力キー機能更新データは、キーカスタマイズデータ解析部１０６によって、あらかじめ定められた入力キー機能更新データのデータ形式やフォーマット形式等に一致しているか否か調べられる。データ形式やフォーマット形式等が正しい場合には、入力キー機能更新データは、キーカスタマイズデータ記憶部１０８に保持される。正しくない場合には、受信した入力キー機能更新データが廃棄されるとともに、通信制御部１０１からビデオサーバ１０３に対して、入力キー機能更新データの再送要求が送信される。このように、誤った形式の入力キー機能更新データがキーカスタマイズデータ記憶部１０８に保持されることがないため、異常なキーカスタマイズが実行されることがなくなる。なお、入力キー機能更新データの再送要求は回数を限定してもよく、また、再送要求の代わりにカスタマイズ失敗通知の送信処理を行う構成としてもよい。
【００４２】接続時にビデオサーバ１０３から受信した入力キー機能更新データの例を図３に示す。ここで例えば、通信装置ユーザが識別子０に対応する入力キーを押下すると、キーカスタマイズ実行部１０９が、キーカスタマイズデータ記憶部１０８を参照し、ビデオサーバ１０３に対してビデオデータ１の再生要求信号を送信する。これによって、ビデオサーバ１０３から通信装置１００へビデオデータ１が送信されてくる。
【００４３】また、ビデオサーバ１０３から通信装置１００へは、ビデオデータ１の送信開始時に、ビデオデータ１とともに、図４に示すような入力キー機能更新データが自動的に送信されてくる。この入力キー機能更新データは、ビデオデータ再生中に必要となる処理、すなわち、「識別子０：一時停止」「識別子１：停止」「識別子２：巻戻し」「識別子３：早送り」「識別子１１：通信切断」によって構成されている。
【００４４】通信制御部１０１で受信されたビデオデータ１と入力キー機能更新データは、データ種別解析部１０４によって、データ種別を判別される。そして、ビデオデータ１は出力部１０５へ送られ、出力部１０５にて画像および音声として出力される。また、入力キー機能更新データは、キーカスタマイズデータ解析部１０６にてデータ形式等を調べられた後、キーカスタマイズデータ記憶部１０８に保持される。
【００４５】ビデオデータ１が再生されている間、各入力キーの機能は図４に示すような処理内容を実行するものとなっている。従って、例えば、ビデオデータ１の再生中に通信装置ユーザが識別子３に対応する入力キーを押下すると、ビデオサーバ１０３に対して早送り要求信号が送信され、ビデオデータ１が早送りされる。
【００４６】次いで、ビデオデータ１の再生が終了すると、ビデオサーバ１０３から通信装置１００へは、図５に示すような入力キー機能更新データが自動的に送信されてくる。この入力キー機能更新データは、上記同様の動作にて、キーカスタマイズデータ記憶部１０８に保持される。この入力キー機能更新データは、ビデオデータ再生終了時に必要となる処理、すなわち、「識別子０：一時停止」「識別子１：停止」「識別子２：巻戻し」「識別子３：早送り不可表示」「識別子１１：通信切断」によって構成されている。
」（３頁４欄〜５頁７欄）
　
ハ．「【００５９】（実施の形態３）本実施の形態に係る通信装置は、実施の形態１と同様の構成を有し、通信装置が他の通信装置に対して、入力キーの構成および総数、入力キー機能更新データの構成等のキー属性情報を送信する点において異なる。
【００６０】以下、本発明の実施の形態３に係る通信装置および入力キー機能更新方法について図７を用いて説明する。図７は、本発明の実施の形態３に係る通信装置の概略構成を示す要部ブロック図である。なお、実施の形態１と同一の構成には同一の符号を付し、詳しい説明は省略する。
【００６１】通信装置７００において、キー属性送信部７０１は、通信制御部１０１を介して、ビデオサーバ１０３へ、入力キーの構成および総数、入力キー機能更新データの構成等のキー属性情報を送信する。
【００６２】次いで、上記構成を有する通信装置７００の動作について説明する。ビデオサーバ１０３との接続確立時またはビデオサーバ１０３からのキー属性送信要求に対して、キー属性送信部７０１は、キー属性データを作成し、通信制御部１０１へ送る。次いで、通信制御部１０１によって、キー属性データが、通信網１０２を介してビデオサーバ１０３へ送信される。
【００６３】キー属性データを受信したビデオサーバ１０３は、その後の入力キー機能更新データの送信にあたり、キー属性に応じた入力キー機能更新データを通信装置７００へ送信する。
【００６４】このように、本実施の形態に係る通信装置および入力キー機能更新方法によれば、通信装置が他の通信装置に対して、入力キーの構成および総数、入力キー機能更新データの構成等のキー属性情報を送信するため、キー属性データを受信した他の通信装置は、入力キーの構成や総数が異なったり、入力キー機能更新データの構成が異なる複数種類の通信装置に対して、それぞれに適した入力キー機能更新データを送信することができ、それぞれに適した通信サービスを提供することができる。
【００６５】（実施の形態４）本実施の形態に係る通信装置は、実施の形態１と同様の構成を有し、各入力キーに割り当てられた機能を表示する点において異なる。
【００６６】以下、本発明の実施の形態４に係る通信装置および入力キー機能更新方法について図８〜図１０を用いて説明する。図８は、本発明の実施の形態４に係る通信装置の概略構成を示す要部ブロック図であり、図９は、本発明の実施の形態４に係る通信装置が使用する入力キー機能更新データの一例を示す図である。また、図１０は、本発明の実施の形態４に係る通信装置上に表示される内容の一例を示す図である。なお、図８において実施の形態１と同一の構成には同一の符号を付し、詳しい説明は省略する。
【００６７】通信装置８００において、キーカスタマイズデータ出力部８０１は、各入力キーに割り当てられた機能を表示する。
【００６８】次いで、上記構成を有する通信装置８００の動作について説明する。本実施の形態における入力キー機能更新データは、図９に示すように、キー識別子とキー識別子に対応する処理内容の他に、入力キーに割り当てられた処理内容をキーカスタマイズデータ出力部８０１に出力するための表示内容を有する。
【００６９】キーカスタマイズデータ出力部８０１は、キーカスタマイズデータ記憶部１０８に保持された入力キー機能更新データを参照し、図１０に示すように、各入力キーに対応する機能を、通信装置ユーザの要求に従って、または、常に、表示する。なお、図１０では単一のキーカスタマイズデータ出力部にすべての入力キーに対する機能を表示する例を示したが、これに限られるものでなく、キーカスタマイズデータ出力部は、例えば各入力キー上に存在するなど、複数の出力装置からなってもよい。
【００７０】このように、本実施の形態に係る通信装置および入力キー機能更新方法によれば、各入力キーに割り当てられた機能を表示するため、通信装置ユーザは入力キーに対応する機能を認識して操作を行うことができるので、通信装置ユーザの入力ミスを防ぐことができ、通信装置ユーザの利便性を向上することができる。」（５頁８欄〜６頁１０欄） 
　
　
　上記引用例の記載及び図面ならびにこの分野における技術常識を考慮すると、
まず、「通信装置および入力キー機能更新方法に関し、特に通信装置の動作中に入力キーの機能を変更することができる通信装置」（上記イ）、
「図１は、本発明の実施の形態１に係る通信装置の概略構成を示す要部ブロック図である。
【００３１】なお、以下の説明では、提供される通信サービスとしてビデオオンデマンドサービスを例に挙げて説明する。
【００３２】通信装置１００において、通信制御部１０１は、所定の通信網１０２に接続され、通信網１０２に接続された他の通信装置であるビデオサーバ１０３とデータの送受信を行う。」（上記ロ、図１）とあり、
「通信装置１００」は「通信網１０２」を介して「ビデオサーバ１０３」と通信可能な「通信制御部１０１」を有するものであり、
「ビデオオンデマンドサービス」を利用する「通信装置１００」のユーザは、「通信装置１００」を使用して「通信網１０２」を介して「ビデオサーバ１０３」へ、ビデオ再生などの要求（デマンド）を送り、「ビデオサーバ１０３」を「制御」するものであるといえるから、
上記引用例には「制御対象とするビデオサーバと所定の通信網を介して通信可能な通信制御部を備えた、通信装置。」について開示がある。
　
　また、「入力キー１０７は、通信装置ユーザからの指示を入力するためのものであり、今ここでは例えば、通信装置１００には１２個の入力キーがあるものとする。」（上記ロ【００３５】）とあり、
入力された「ユーザからの指示」に対しては、必然的に「所要の動作」が実現されるから、
上記通信装置は「所要の動作を実現するための入力キー」を有するということができる。
　
　また、「【００３４】キーカスタマイズデータ解析部１０６は、データ種別解析部１０４から送られる入力キー機能更新データのデータ形式やフォーマット形式等を調べる。ここで、入力キー機能更新データとは、制御データの一種で、各入力キーに割り当てられる機能を表すデータである。
【００３５】キーカスタマイズデータ記憶部１０８は、入力キー機能更新データを保持する。
　・・・（中略）・・・
【００３６】キーカスタマイズ実行部１０９は、通信装置ユーザによって入力キー１０７が押下された際に、キーカスタマイズデータ記憶部１０８が保持する入力キー機能更新データに従って、各入力キーの機能に対応する処理を行う。」（上記ロ、【００３４】〜【００３６】）、
　「通信装置ユーザは、ビデオオンデマンドサービスを受けるために、まず入力キーのデフォルト機能により、通信網１０２を介して、通信装置１００とビデオサーバ１０３とを接続する。
【００４０】接続が確立されると、ビデオサーバ１０３から通信装置１００へ、図３に示す入力キー機能更新データが自動的に送信される。送信された入力キー機能更新データは、通信制御部１０１によって受信され、
　・・・（中略）・・・
調べられる。データ形式やフォーマット形式等が正しい場合には、入力キー機能更新データは、キーカスタマイズデータ記憶部１０８に保持される。」
（上記ロ、【００３９】後段〜【００４１】前段）、とあり、
　「ビデオサーバ１０３」側から送信されてくる「入力キー機能更新データ」が「通信制御部１０１によって受信」されると、この受信した「入力キー機能更新データ」を利用して「入力キーの機能の更新」（カスタマイズ、上記イ【０００３】）をおこなうものであるので、
　前記「通信装置１００」は、「ビデオサーバ側が送信してくる入力キーの機能の更新ための入力キー機能更新データを、通信制御部により受信した場合に、この受信した入力キー機能更新データを利用して、上記ビデオサーバを操作するための入力キーの機能の更新」を行う手段を有するということができる。
　
　また、「【００４２】接続時にビデオサーバ１０３から受信した入力キー機能更新データの例を図３に示す。ここで例えば、通信装置ユーザが識別子０に対応する入力キーを押下すると、キーカスタマイズ実行部１０９が、キーカスタマイズデータ記憶部１０８を参照し、ビデオサーバ１０３に対してビデオデータ１の再生要求信号を送信する。これによって、ビデオサーバ１０３から通信装置１００へビデオデータ１が送信されてくる。」（上記ロ）、
「【００４５】ビデオデータ１が再生されている間、各入力キーの機能は図４に示すような処理内容を実行するものとなっている。従って、例えば、ビデオデータ１の再生中に通信装置ユーザが識別子３に対応する入力キーを押下すると、ビデオサーバ１０３に対して早送り要求信号が送信され、ビデオデータ１が早送りされる。」（上記ロ）、などとあり、
　前記のように「入力キー機能更新データ」が「キーカスタマイズデータ記憶部１０８」に記憶されている状態の下で、「入力キーに対して行われた操作」（「識別子０に対応する入力キーを押下」、「識別子３に対応する入力キーを押下」）がなされると、これに応じた「要求信号」（「ビデオデータ１の再生要求信号」、「早送り要求信号」）が「ビデオサーバ１０３」に送信されることが記載されているから、
　前記「通信装置１００」は、「入力キーの機能が更新されている状態の下で、上記入力キーに対して行われた操作に応じた要求信号を、上記通信手段により上記ビデオサーバに対して送信させる送信手段」を有するということができる。
　
　以上をまとめると、引用例の上記ロの記載部分（引用例の（実施の形態１））には、
「制御対象とするビデオサーバと所定の通信網を介して通信可能な通信制御部と、
　所要の動作を実現するための入力キーと、
　上記ビデオサーバ側が送信してくる入力キーの機能の更新ための入力キー機能更新データを、通信制御部により受信した場合に、この受信した入力キー機能更新データを利用して、上記ビデオサーバを操作するための入力キーの機能の更新を行う手段と、
　上記入力キーの機能が更新されている状態の下で、上記入力キーに対して行われた操作に応じた要求信号を、上記通信手段により上記ビデオサーバに対して送信させる送信手段と、
　を備えている通信装置。」
が記載されている。 
　
　そして更に、引用例の上記ハには、上記ロの（実施の形態１）を前提とした構成として（実施の形態３）に関する記載があり、
「【００５９】（実施の形態３）本実施の形態に係る通信装置は、実施の形態１と同様の構成を有し、通信装置が他の通信装置に対して、入力キーの構成および総数、入力キー機能更新データの構成等のキー属性情報を送信する点において異なる。」（上記ハ）、
「【００６１】通信装置７００において、キー属性送信部７０１は、通信制御部１０１を介して、ビデオサーバ１０３へ、入力キーの構成および総数、入力キー機能更新データの構成等のキー属性情報を送信する。
【００６２】次いで、上記構成を有する通信装置７００の動作について説明する。ビデオサーバ１０３との接続確立時またはビデオサーバ１０３からのキー属性送信要求に対して、キー属性送信部７０１は、キー属性データを作成し、通信制御部１０１へ送る。次いで、通信制御部１０１によって、キー属性データが、通信網１０２を介してビデオサーバ１０３へ送信される。
【００６３】キー属性データを受信したビデオサーバ１０３は、その後の入力キー機能更新データの送信にあたり、キー属性に応じた入力キー機能更新データを通信装置７００へ送信する。」（上記ハ）、とあるから、
　「通信装置７００」は「通信制御部１０１」により「入力キーの構成、及び総数」を示す情報を含む「キー属性情報」を「ビデオサーバ１０３」へ送信させる「キー属性送信部７０１」を有すること、
および、この「キー属性情報」を受信した「ビデオサーバ１０３」は、この「キー属性情報の受信に応答」して、キー属性に応じた「入力キー機能更新データ」を通信装置７００へ送信することが記載されている。
　
　また、「【００６４】このように、本実施の形態に係る通信装置および入力キー機能更新方法によれば、通信装置が他の通信装置に対して、入力キーの構成および総数、入力キー機能更新データの構成等のキー属性情報を送信するため、キー属性データを受信した他の通信装置は、入力キーの構成や総数が異なったり、入力キー機能更新データの構成が異なる複数種類の通信装置に対して、それぞれに適した入力キー機能更新データを送信することができ、それぞれに適した通信サービスを提供することができる。」（上記ハ）とあるから、
　前記の通信装置７００へ返信されるキー属性に応じた「入力キー機能更新データ」は、「キー属性情報」に基づき「キー属性」に適合するものであるということができる。
　
　したがって、引用例の上記ハの（実施の形態３）には、上記（実施の形態１）の構成に加えて、
通信装置が「通信制御部により、上記入力キーの構成、及び総数を示す情報を含むキー属性情報を上記ビデオサーバに対して送信させるキー属性送信部」を有しており、
「ビデオサーバ」は「上記キー属性情報の受信に応答して」、「上記キー属性情報に基づき、上記入力キーのキー属性に適合する入力キー機能更新データ」を送信してくるものであることが記載されているということができる。
　
　これら引用例の記載をまとめれば、引用例には、 
　「制御対象とするビデオサーバと所定の通信網を介して通信可能な通信制御部と、
　所要の動作を実現するための入力キーと、
　上記通信制御部により、上記入力キーの構成、及び総数を示す情報を含むキー属性情報を上記ビデオサーバに対して送信させるキー属性送信部と、
　上記ビデオサーバ側が上記キー属性情報の受信に応答して送信してくるものであり、上記キー属性情報に基づき、上記入力キーのキー属性に適合する入力キーの機能の更新ための入力キー機能更新データを、通信制御部により受信した場合に、この受信した入力キー機能更新データを利用して、上記ビデオサーバを操作するための入力キーの機能を更新する手段と、
　上記入力キーの機能が更新されている状態の下で、上記入力キーに対して行われた操作に応じた要求信号を、上記通信手段により上記ビデオサーバに対して送信させる送信手段と、
　を備えている通信装置。」
の発明（以下、「引用発明」という。）が記載されている。 
　
　
［対比・判断］
　補正後の発明と引用発明とを対比すると、補正後の発明の「電子機器」も引用発明の「通信装置」も、いずれも「電子機器」である点において一致する。
　
　また、引用発明の「ビデオサーバ」は、これも「電子機器」の一種であって「通信装置」により制御されるものであるから、「被制御電子機器」と呼ぶことができるものであって、この点において補正後の発明と引用発明との間に実質的な差異はなく、「被制御電子機器」である点において一致する。
　
　また、引用発明の「所定の通信網を介して通信可能な通信制御部」と、補正後の発明の「所定の通信路を介して通信可能な通信手段」についても、補正後の発明において特定の「通信路」を取ることに格別の技術的意義があるわけではなく、「通信制御部」も「通信手段」であることには違いがないので、実質的な差異はなく、「所定の通信路を介して通信可能な通信手段」である点において一致する。
　
　また、引用発明の「入力キー」も補正後の発明の「操作子」も、電子機器の操作手段として共通するものであり、「操作子」である点において一致する。
　
　また、引用発明の「通信制御部により、上記入力キーの構成、及び総数を示す情報を含むキー属性情報を上記ビデオサーバに対して送信させるキー属性送信部」と、補正後の発明の「通信手段により、上記操作子の種類、及び上記操作子の数を示す情報を含む入力操作能力情報を上記被制御電子機器に対して送信させる入力操作能力情報送信手段」は、
　上記一致点を勘案すれば、引用発明の「入力キーの構成、及び総数を示す情報を含むキー属性情報」と補正後の発明の「操作子の種類、及び上記操作子の数を示す情報を含む入力操作能力情報」の点において具体的構成が相違し、それらは上位概念として「操作子に関する情報」である点で一致するので、「通信手段により、操作子に関する情報を上記被制御電子機器に対して送信させる操作子に関する情報の送信手段」ある点で一致する。
　
　また、引用発明の「ビデオサーバ側が上記キー属性情報の受信に応答して送信してくるものであり、上記キー属性情報に基づき、上記入力キーのキー属性に適合する入力キーの機能の更新ための入力キー機能更新データを、通信制御部により受信した場合に、この受信した入力キー機能更新データを利用して、上記ビデオサーバを操作するための入力キーの機能を更新する手段」と、
補正後の発明の「被制御電子機器側が上記入力操作能力情報の受信に応答して送信してくるものであり、上記入力操作能力情報に基づき、上記操作子の入力操作機能の能力に適合するユーザインターフェイスを形成するためのリモートコントローラ化情報を、上記通信手段により受信した場合に、この受信したリモートコントローラ化情報を利用して、上記被制御電子機器を操作するためのユーザインターフェイスを形成するユーザインターフェイス形成手段」を対比すると、
　引用発明の「入力キーの機能」とは、その上位概念としての「ユーザインターフェイス」に含まれるものであり、「入力キーの機能を更新する」ということは新たな「ユーザインターフェイスを形成」する事に他ならないから、上記一致点を勘案すれば、
「被制御電子機器を操作するためのユーザインターフェイスを形成するユーザインターフェイス形成手段」である点で一致し、その余の点で形式上相違する。
　
　また、引用発明の「上記入力キーの機能が更新されている状態の下で、上記入力キーに対して行われた操作に応じた要求信号を、上記通信手段により上記ビデオサーバに対して送信させる送信手段」と、
補正後の発明の「上記ユーザーインターフェイスが形成されている状態の下で、上記操作子に対して行われた操作に応じた操作情報を、上記通信手段により上記被制御電子機器に対して送信させる操作情報送信手段」とは、
上記のように「入力キーの機能が更新」されている状態が、「ユーザーインターフェイスが形成」されている状態であり、ビデオサーバに対する「要求信号」とは、被制御電子機器に対する「操作情報」であるから、「上記ユーザーインターフェイスが形成されている状態の下で、上記操作子に対して行われた操作に応じた操作情報を、上記通信手段により上記被制御電子機器に対して送信させる操作情報送信手段」である点において一致する。
　
　したがって、補正後の発明と引用発明は、以下の点で一致し、また相違する。
　
（一致点）
「制御対象とする被制御電子機器と所定の通信路を介して通信可能な通信手段と、
　所要の動作を実現するための操作子と、
　上記通信手段により、操作子に関する情報を上記被制御電子機器に対して送信させる操作子に関する情報の送信手段と、
　上記被制御電子機器を操作するためのユーザインターフェイスを形成するユーザインターフェイス形成手段と、
　上記ユーザーインターフェイスが形成されている状態の下で、上記操作子に対して行われた操作に応じた操作情報を、上記通信手段により上記被制御電子機器に対して送信させる操作情報送信手段と、
　を備えている電子機器。」 
　
（相違点）
（ア）「操作子に関する情報の送信手段」に関し、
補正後の発明は「操作子の種類、及び上記操作子の数を示す情報を含む入力操作能力情報」を送信するのに対し、
引用発明は「入力キーの構成、及び総数を示す情報を含むキー属性情報」を送信する点。
　
（イ）「ユーザインターフェイス形成手段」に関し、
補正後の発明では、「被制御電子機器側が上記入力操作能力情報の受信に応答して送信してくるものであり、上記入力操作能力情報に基づき、上記操作子の入力操作機能の能力に適合するユーザインターフェイスを形成するためのリモートコントローラ化情報を、上記通信手段により受信した場合に、この受信したリモートコントローラ化情報を利用して」ユーザインターフェイスを形成するのに対し、
引用発明では、「ビデオサーバ側が上記キー属性情報の受信に応答して送信してくるものであり、上記キー属性情報に基づき、上記入力キーのキー属性に適合する入力キーの機能の更新ための入力キー機能更新データを、通信制御部により受信した場合に、この受信した入力キー機能更新データを利用して」ユーザインターフェイスを形成する入力キーの機能を更新する点。
　
　
　上記相違点（ア）について検討する。
　引用発明における「入力キーの構成」という場合に、「構成」とはその成分、要素をあきらかにするものであり、電子機器の入力キーに例えば英字キー、数字キー、ファンクションキーなどの複数の「種類」があるのは通常のことであるから、入力キー（操作子）の「種類」の情報が含まれることは明らかである。
　また、入力キーの「総数」と言った場合には、各「種類」の入力キー（操作子）の数の「合計」を意味するものであるから、操作子の各種類別の「数」は排除されるものであるが、補正後の発明では単に「操作子の数」としか限定がないのであるから、引用例のような「総数」も実質的に含まれるものであり、この点における相違は格別のものではない。
　また、引用発明における「入力キーの構成」には、構成する入力キー（操作子）の種類だけでなく、各種類別の「数」もその内訳として含むものとも解することも可能であり、引用発明の「キー属性情報」は結局のところ「入力キー」の「操作能力」を示す情報を含むものであるともいえ、引用発明の「キー属性情報」と補正後の発明の「入力操作能力情報」との相違も格別のことではない。
　
　上記相違点（イ）について検討する。
　上記相違点（ア）についての検討で述べたように、引用発明の「キー属性情報」と補正後の発明の「入力操作能力情報」に実質的な相違はないから、引用発明の「入力キー機能更新データ」と補正後の発明の「リモートコントローラ化情報」も、
　被制御電子機器（ビデオサーバ）側が入力操作能力情報（キー属性情報）の受信に応答して送信してくるものである点において変わりなく、
　操作子（入力キー）の入力操作機能の能力（キー属性）に適合するユーザインターフェイス（入力キーの機能）を形成（更新）するためのリモートコントローラ化情報（入力キー機能更新データ）、として被制御電子機器（ビデオサーバ）側で作成される点においても共通するものであり、
　電子機器側（通信装置側）においては、これを通信手段（通信制御部）により受信した場合に、この受信したリモートコントローラ化情報（入力キー機能更新データ）を利用して、上記被制御電子機器（ビデオサーバ）を操作するためのユーザインターフェイス（入力キーの機能）を形成するユーザインターフェイス形成手段（入力キーの機能を更新する手段）、を有する点においても同様である。
　したがって、引用発明の「入力キーの機能を更新する手段」と、補正後の発明の「ユーザインターフェイス形成手段」の相違も格別のものではなく、相違点（イ）も格別のことということはできない。
　
　そして、これら相違点の全体としての補正後の発明の効果も、引用発明から当業者が容易に予測し得る範囲のものである。
　 
　よって、補正後の発明は引用発明に基づいて当業者が容易に発明できたものであるから、特許法第２９条第２項の規定により、特許出願の際独立して特許を受けることができないものである。
　
　
３．結語
　以上のとおり、本件補正は、補正後の発明が特許出願の際独立して特許を受けることができないものであるから、特許法第１７条の２第５項の規定により準用する特許法第１２６条第５項の規定に適合していない。
　したがって、本件補正は、特許法第１５９条第１項において準用する同法第５３条第１項の規定により却下すべきものである。
　
　
第３．本願発明について
１．本願発明
　平成１９年７月２３日付けの手続補正は上記のとおり却下されたので、本願発明は上記「第２．補正却下の決定」の項中の「１．本願発明と補正後の発明」の項で「本願発明」として認定したとおりである。
　
２．引用発明
　引用発明は、上記「第２．補正却下の決定」の項中の「（２）独立特許要件」の項中の［引用発明］で認定したとおりである。
　
３．対比・判断
　本願発明は上記補正後の発明から本件補正に係る限定を省いたものである。
　そうすると、本願発明の構成に補正に係る限定を付加した補正後の発明が、上記「第２．補正却下の決定」の項中の「（２）独立特許要件」の項で検討したとおり、引用発明に基づいて容易に発明できたものであるから、本願発明も同様の理由により、容易に発明できたものである。
　
４．むすび
　以上のとおり、本願発明は、上記引用発明に基づいて当業者が容易に発明をすることができたものと認められるから、特許法第２９条第２項の規定により特許を受けることができない。
　
　よって、結論のとおり審決する。